(57)【要約】【課題】ユーザーによる装置の利用を阻害することなく遠隔制御を受けることが可能な画像処理装置を提供すること。【解決手段】制御装置５は、通信装置６を通じて予め定められた管理装置８から遠隔制御コマンドＣＭ０を受信した場合に、前記遠隔制御コマンドＣＭ０に従って自装置を制御する。人感センサー７は、自装置の前に存在する人を検知する。前記制御装置５は、ジョブ処理装置によりジョブが実行されている状態、または、前記人感センサー７により人が検知されている状態を含む特定状態が生じているときに、前記遠隔制御コマンドに従った制御の実行を制限する。【選択図】図１
2019012917.tif 000002
【特許請求の範囲】
【請求項１】
画像処理に関するジョブを実行するジョブ処理装置と、
ネットワークを通じて他装置との間で通信を行う通信装置と、
前記通信装置を通じて予め定められた管理装置から遠隔制御コマンドを受信した場合に、前記遠隔制御コマンドに従って自装置を制御する制御装置と、
自装置の前に存在する人を検知する人感センサーと、を備え、
前記制御装置は、前記ジョブ処理装置により前記ジョブが実行されている状態、または、前記人感センサーにより人が検知されている状態を含む特定状態が生じているときに、前記遠隔制御コマンドに従った制御の実行を制限する、画像処理装置。
【請求項２】
前記制御装置は、前記特定状態が生じているときに制限した前記遠隔制御コマンドに従った制御を、前記特定状態が終了した後に実行する、請求項１に記載の画像処理装置。
【請求項３】
前記制御装置は、前記特定状態が生じているときに受信した前記遠隔制御コマンドが予め定められた許容制御およびその他の制御を指示するコマンドである場合に、前記特定状態の終了を待たずに前記許容制御を実行し、前記特定状態が終了した後に前記その他の制御を実行する、請求項１に記載の画像処理装置。
【請求項４】
前記人感センサーにより人が検知されているときに前記遠隔制御コマンドが受信された場合に、遠隔制御の可否を問う可否通知を出力する通知装置と、
前記可否通知に対する許可操作または不可操作を受け付ける操作入力装置と、をさらに備え、
前記制御装置は、前記操作入力装置により前記許可操作が受け付けられた場合に、前記特定状態の終了を待たずに前記遠隔制御コマンドに従った制御を実行し、前記操作入力装置により前記不可操作が受け付けられた場合に、前記特定状態が終了した後に前記遠隔制御コマンドに従った制御を実行する、請求項１に記載の画像処理装置。
【発明の詳細な説明】
【技術分野】
【０００１】
本発明は、画像処理装置に関する。
【背景技術】
【０００２】
プリンターまたは複写機などの画像処理装置において、人感センサーが人を検知した場合に、制御部が、表示装置などの機器への給電を開始することが知られている（例えば、特許文献１参照）。
【先行技術文献】
【特許文献】
【０００３】
【特許文献１】特開２０１４−１１３８２３号公報
【発明の概要】
【発明が解決しようとする課題】
【０００４】
ところで、前記画像処理装置が、遠隔制御によってメンテナンスされることが考えられる。前記遠隔制御は、前記画像処理装置における異常の発生の回避または異常からの早期復旧に寄与する。しかしながら、ユーザーによる前記画像処理装置の利用が、前記遠隔制御によって阻害されることは望ましくない。
【０００５】
本発明の目的は、ユーザーによる装置の利用を阻害することなく遠隔制御を受けることが可能な画像処理装置を提供することにある。
【課題を解決するための手段】
【０００６】
本発明の一の局面に係る画像処理装置は、ジョブ処理装置と、通信装置と、制御装置と、人感センサーと、を備える。前記ジョブ処理装置は、画像処理に関するジョブを実行する。前記通信装置は、ネットワークを通じて他装置との間で通信を行う。前記制御装置は、前記通信装置を通じて予め定められた管理装置から遠隔制御コマンドを受信した場合に、前記遠隔制御コマンドに従って自装置を制御する。前記人感センサーは、自装置の前に存在する人を検知する。前記制御装置は、前記ジョブ処理装置により前記ジョブが実行されている状態、または、前記人感センサーにより人が検知されている状態を含む特定状態が生じているときに、前記遠隔制御コマンドに従った制御の実行を制限する。
【発明の効果】
【０００７】
本発明によれば、ユーザーによる装置の利用を阻害することなく遠隔制御を受けることが可能な画像処理装置を提供することが可能になる。
【図面の簡単な説明】
【０００８】
【図１】図１は、第１実施形態に係る画像処理装置のブロック図である。
【図２】図２は、第１実施形態に係る画像処理装置における第１遠隔制御管理処理の手順の一例を示すフローチャートである。
【図３】図３は、第２実施形態に係る画像処理装置における第２遠隔制御管理処理の手順の一例を示すフローチャートである。
【図４】図４は、第３実施形態に係る画像処理装置における第３遠隔制御管理処理の手順の一例を示すフローチャートである。
【発明を実施するための形態】
【０００９】
以下、添付図面を参照しながら、本発明の実施形態について説明する。なお、以下の実施形態は、本発明を具体化した一例であって、本発明の技術的範囲を限定するものではない。
【００１０】
［第１実施形態：画像処理装置１０の構成］
第１実施形態に係る画像処理装置１０は、シート９２に画像を形成する印刷処理および原稿９１から画像を読み取る画像読取処理などの画像処理に関するジョブを実行する装置である（図１参照）。例えば、画像処理装置１０は、複写機または複写機能およびファクシミリ通信装置能を有する複合機などである。
【００１１】
本実施形態において、画像処理装置１０は、インターネットまたはＷＡＮ（Wide Area Network）などのネットワーク８０を通じて、予め定められた管理装置８などの他装置と通信可能である。管理装置８は、画像処理装置１０と通信可能なコンピューターである。
【００１２】
管理装置８は、画像処理装置１０のメンテナンスを担当する事業所に設置されている。メンテナンス事業者は、管理装置８から画像処理装置１０をリモート制御することにより、画像処理装置１０の状態を確認し、さらに、画像処理装置１０にプログラムのバージョンアップ処理または画像調整処理などを実行させる。
【００１３】
図１に示されるように、画像処理装置１０は、画像読取装置１、画像形成装置２，ユーザーインターフェイスユニット３、二次記憶装置４、制御装置５および通信装置６などを備える。
【００１４】
ユーザーインターフェイスユニット３は、操作器３ａおよび表示装置３ｂを含むユーザーインターフェイスである。操作器３ａは、ユーザーの操作を受け付ける装置であり、例えばタッチパネルを含む。表示装置３ｂは、情報を表示可能な液晶パネルなどの表示パネルを含む。
【００１５】
通信装置６は、ネットワーク８０を通じて管理装置８などの前記他装置との間で通信を行う通信インターフェイスデバイスである。制御装置５は、前記他装置との間のデータの送信および受信の全てを通信装置６を通じて行う。
【００１６】
二次記憶装置４は、コンピューター読み取り可能な不揮発性のデータ記憶装置である。二次記憶装置４は、プログラムおよび各種のデータを記憶可能である。例えば、ハードディスクドライブおよびＳＳＤ（Solid State Drive）の一方または両方の組合せが、二次記憶装置４として採用される。
【００１７】
画像読取装置１は、原稿９１の画像を読み取る読取処理を実行する装置である。画像読取装置１は、光源１ａ、走査機構１ｂ、イメージセンサー１ｃおよびＡＦＥ（Analog Front End）１ｄなどを備える。
【００１８】
光源１ａは、原稿９１に対して光を出射する。走査機構１ｂは、光源１ａの光を原稿９１に対して走査させる。イメージセンサー１ｃは、原稿９１からの反射光を受光し、受光量の検出信号を画像信号として出力する。
【００１９】
ＡＦＥ（１ｄ）は、前記画像信号をデジタルの画像データへ変換する。以下の説明において、画像読取装置１の前記読取処理によって原稿９１から読み取られた画像のことを読取画像と称する。
【００２０】
画像形成装置２は、電子写真方式またはインクジェット方式などの予め定められた方式でシート９２に画像を形成する印刷処理を実行する装置である。本実施形態において、画像形成装置２は、前記読取画像のデータまたは通信装置６を通じて前記他装置から受信した受信印刷データに基づいて前記印刷処理を実行可能である。
【００２１】
例えば、画像形成装置２が電子写真方式で前記印刷処理を実行する装置である場合、画像形成装置２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００２２】
シート搬送機構２ａは、予め定められた経路に沿ってシート９２を搬送する。帯電装置２ｃは、感光体２ｂの表面を帯電させる。レーザースキャニングユニット２ｄは、帯電した感光体２ｂの表面に静電潜像を書き込む。
【００２３】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。
【００２４】
制御装置５は、各種の演算、データ処理および画像処理装置１０が備える各種の電気機器の制御を実行する。制御装置５は、画像読取装置１、画像形成装置２、ユーザーインターフェイスユニット３および通信装置６との間でデータおよび制御信号の受け渡しが可能である。
【００２５】
制御装置５は、ＣＰＵ５１、ＲＡＭ（Random Access Memory）５２および画像データ処理装置５３を含む。ＣＰＵ５１は、二次記憶装置４などに記憶されたプログラムを実行することにより、ジョブ制御およびその他の制御を実行する。ＣＰＵ５１は、さらにユーザーインターフェイスユニット３および通信装置６を制御する。
【００２６】
前記ジョブ制御は、画像処理に関する各種のジョブを画像読取装置１および画像形成装置２の一方または両方に実行させる処理である。例えば、読取ジョブ、印刷ジョブおよびコピージョブなどが、前記ジョブの一例である。
【００２７】
前記読取ジョブは、画像読取装置１による前記画像読取処理である。前記印刷ジョブは、画像形成装置２による前記受信印刷データに基づく前記印刷処理である。前記コピージョブは、画像読取装置１による前記画像読取処理と、画像形成装置２による前記読取画像のデータに基づく前記印刷処理とを含む。
【００２８】
また、ＣＰＵ５１は、前記ジョブの条件を操作器３ａに対する操作に応じて設定し、設定された前記ジョブの条件を表示装置３ｂに表示させる処理も実行する。例えば、前記ジョブの条件は、原稿９１の片面および両面のいずれを前記読取処理の対象とするかを指定する条件、および前記印刷処理においてモノクロ印刷およびカラー印刷のいずれを行うかを指定する条件などを含む。
【００２９】
また、ＣＰＵ５１は、省電力制御を実行する。前記省電力制御は、画像処理装置１０を状況に応じて前記ジョブの実行が可能な通常状態と、前記通常状態よりも電力消費が小さい低電力状態とに切り替える処理である。
【００３０】
例えば、ＣＰＵ５１は、前記低電力状態において、画像読取装置１、画像形成装置２および表示装置３ｂへの給電を遮断する。さらに、ＣＰＵ５１は、前記低電力状態において、自らも通常モードよりも電力消費が小さいスリープモードで動作する。例えば、ＣＰＵ５１は、前記スリープモードにおいて、前記通常モードよりも低い周波数のクロックで動作する。
【００３１】
なお、ＣＰＵ５１は、画像処理装置１０が前記低電力状態であるときも、通信装置６を通じて遠隔制御コマンドＣＭ０を受信することができる。
【００３２】
ＣＰＵ５１は、予め定められたスリープ条件が成立した場合に、画像処理装置１０を前記通常状態から前記低電力状態へ移行させる。例えば、前記スリープ条件が、前記ジョブが実行されない状態が予め定められた時間継続したという条件であることが考えられる。
【００３３】
また、ＣＰＵ５１は、予め定められた復帰条件が成立した場合に、画像処理装置１０を前記低電力状態から前記通常状態へ移行させる。例えば、前記復帰条件が、操作器３ａに対する操作が行われたという条件と、通信装置６を通じて前記他装置から前記受信印刷データを受信したという条件とのＯＲ条件であることが考えられる。
【００３４】
さらに、ＣＰＵ５１は、通信装置６を通じて管理装置８との間でデータ通信を行う。例えば、ＣＰＵ５１は、通信装置６を通じて予め定められた管理装置８から遠隔制御コマンドＣＭ０を受信した場合に、遠隔制御コマンドＣＭ０に従って画像処理装置１０が備える機器を制御する。
【００３５】
なお、ＤＳＰ（Digital Signal Processor）などの他のプロセッサーが、ＣＰＵ５１の代わりに前記ジョブ制御およびその他の処理を実行することも考えられる。
【００３６】
ＲＡＭ５２は、ＣＰＵ５１が実行する前記プログラムおよびＣＰＵ５１が前記プログラムを実行する過程で出力および参照するデータを一次記憶する記憶装置である。
【００３７】
画像データ処理装置５３は、前記読取画像のデータおよび前記受信印刷データについての加工処理またはデータ変換処理などの画像処理を実行する。例えば、画像データ処理装置５３は、前記読取画像データまたは前記受信印刷データを印刷用のラスタデータへ変換する処理などを実行する。
【００３８】
例えば、画像データ処理装置５３は、ＤＳＰなどのプロセッサーおよびＡＳＩＣ（Application Specific Integrated Circuit）などの集積回路の一方または両方によって実現される。
【００３９】
以下の説明において、画像処理に関する前記ジョブを実行する画像読取装置１、画像形成装置２、ユーザーインターフェイスユニット３、通信装置６および画像データ処理装置５３のことを、ジョブ処理装置と称する。
【００４０】
ところで、画像処理装置１０が、管理装置８を利用した遠隔制御によってメンテナンスされる場合、前記遠隔制御は、画像処理装置１０における異常の発生の回避または異常からの早期復旧に寄与する。しかしながら、ユーザーによる画像処理装置１０の利用が、前記遠隔制御によって阻害されることは望ましくない。
【００４１】
画像処理装置１０は、後述する第１遠隔制御管理処理を実行することにより、前記ユーザーによる画像処理装置１０の利用を阻害することなく前記遠隔制御を受けることが可能である。
【００４２】
画像処理装置１０は、人感センサー７をさらに備える。人感センサー７は、画像処理装置１０の前に存在する人を検知するセンサーである。例えば、人感センサー７が、赤外線センサーまたは超音波センサーなどであることが考えられる。
【００４３】
［第１遠隔制御管理処理］
以下、図２に示されるフローチャートを参照しつつ、第１実施形態に係る画像処理装置１０における前記第１遠隔制御管理処理の手順の一例について説明する。以下の説明において、Ｓ１０１，Ｓ１０２，…は、前記第１遠隔制御管理処理において実行される工程の識別符号を表す。
【００４４】
ＣＰＵ５１は、通信装置６を通じて管理装置８から遠隔制御コマンドＣＭ０を受信した場合に、前記第１遠隔制御管理処理を開始する。
【００４５】
＜工程Ｓ１０１，Ｓ１０２＞
前記第１遠隔制御管理処理において、まず、ＣＰＵ５１は、前記ジョブ処理装置がジョブ実行状態であるか否かを判定する処理（Ｓ１０１）と、人感センサー７が人検知状態であるか否かを判定する処理（Ｓ１０２）とを実行する。
【００４６】
前記ジョブ実行状態は、前記ジョブ処理装置により前記ジョブが実行されている状態である。前記人検知状態は、人感センサー７により人が検知されている状態である。以下の説明において、前記ジョブ実行状態および前記人検知状態の少なくとも一方が検知された状態のことを特定状態と称する。
【００４７】
ＣＰＵ５１は、画像処理装置１０が前記特定状態であると判定した場合、処理を工程Ｓ１０４へ移行させ、そうではない場合、処理を工程Ｓ１０３へ移行させる。
【００４８】
＜工程Ｓ１０３＞
工程Ｓ１０３において、ＣＰＵ５１は、遠隔制御コマンドＣＭ０に従った全ての制御を実行し、前記第１遠隔制御管理処理を終了させる。
【００４９】
＜工程Ｓ１０４＞
工程Ｓ１０４において、ＣＰＵ５１は、遠隔制御コマンドＣＭ０が指示する制御が、予め定められた許容制御を含むか否かを判定する。前記許容制御は、前記ジョブ処理装置が前記ジョブを実行しているときに並行して実行されても、前記ジョブの結果および前記ジョブの実行に要する時間への影響がない処理、または、前記影響が小さい処理である。
【００５０】
前記許容制御は、前記ジョブの種類に応じて予め定められている。ＣＰＵ５１は、遠隔制御コマンドＣＭ０が指示する制御が、実行中の前記ジョブの種類に応じた前記許容制御を含むか否かを判定する。
【００５１】
例えば、実行中の前記ジョブが前記読取ジョブである場合の前記許容制御が、帯電電圧および現像バイアス電圧などの画像形成装置２に関する制御パラメーターの変更、および、画像形成装置２に関する制御プログラムの新バージョンへの更新などを含むことが考えられる。
【００５２】
また、実行中の前記ジョブが前記印刷ジョブである場合の前記許容制御が、画像読取装置１における画像の読み取り色を調整する読取色調整処理、および、画像読取装置１に関する制御プログラムの新バージョンへの更新などを含むことが考えられる。
【００５３】
一方、遠隔制御コマンドＣＭ０によって指示される制御が、前記許容制御以外の禁止制御を含む場合がある。例えば、前記制御プログラムが新バージョンへ更新された後に、画像処理装置１０を再起動させるリセット処理は、前記禁止制御の一例である。前記リセット処理は、実行中の前記ジョブの種類に関わらず常に前記禁止制御である。
【００５４】
そして、ＣＰＵ５１は、遠隔制御コマンドＣＭ０が指示する制御が前記許容制御を含むと判定した場合、処理を工程Ｓ１０５へ移行させ、そうでない場合、処理を工程Ｓ１０７へ移行させる。
【００５５】
本実施形態において、ＣＰＵ５１は、前記特定状態が生じているときに、遠隔制御コマンドＣＭ０に従った制御のうち前記許容制御以外の制御の実行を制限する（Ｓ１０６）。
【００５６】
＜工程Ｓ１０５，Ｓ１０６＞
工程Ｓ１０５において、ＣＰＵ５１は、前記許容制御を実行する（Ｓ１０５）。前記許容制御は、遠隔制御コマンドＣＭ０によって指示される制御の一部または全部である。
【００５７】
さらに、ＣＰＵ５１は、遠隔制御コマンドＣＭ０によって指示される制御のうち前記許容制御以外の前記禁止制御を、実行せずに一次保留する（Ｓ１０６）。その後、ＣＰＵ５１は、処理を工程Ｓ１０８，Ｓ１０９へ移行させる。
【００５８】
＜工程Ｓ１０７＞
工程Ｓ１０７において、ＣＰＵ５１は、遠隔制御コマンドＣＭ０によって指示される全ての制御を、実行せずに一次保留する。その後、ＣＰＵ５１は、処理を工程Ｓ１０８，Ｓ１０９へ移行させる。
【００５９】
＜工程Ｓ１０８，Ｓ１０９＞
工程Ｓ１０６またはＳ１０７に続いて、ＣＰＵ５１は、工程Ｓ１０１，Ｓ１０２と同様に、画像処理装置１０が前記特定状態であるか否かを判定する。
【００６０】
ＣＰＵ５１は、画像処理装置１０が前記特定状態ではなくなったと判定するまで、画像処理装置１０が前記特定状態であるか否かの判定を繰り返す。そして、ＣＰＵ５１は、画像処理装置１０が前記特定状態ではなくなったと判定すると、処理を工程Ｓ１１０へ移行させる。
【００６１】
＜工程Ｓ１１０＞
工程Ｓ１１０において、ＣＰＵ５１は、工程Ｓ１０６または工程Ｓ１０７において保留した前記禁止制御を実行する。その後、ＣＰＵ５１は、前記第１遠隔制御管理処理を終了させる。
【００６２】
画像処理装置１０は、前記第１遠隔制御管理処理を実行することにより、前記ユーザーによる自装置の利用を阻害することなく管理装置８からの遠隔制御を受けることができる。
【００６３】
また、本実施形態において、ＣＰＵ５１は、前記特定状態が生じているときに制限した前記禁止制御を、前記特定状態が終了した後に自動的に実行する（Ｓ１１０）。これにより、管理装置８の操作員は、画像処理装置１０の前記特定状態が終了するまで待ち続ける必要がない。
【００６４】
さらに、本実施形態において、ＣＰＵ５１は、前記特定状態が生じているときに受信した遠隔制御コマンドＣＭ０が前記許容制御およびその他の前記禁止制御を指示するコマンドである場合に、前記特定状態の終了を待たずに前記許容制御を実行する（Ｓ１０５）。さらに、ＣＰＵ５１は、前記特定状態が終了した後に前記禁止の制御を実行する（Ｓ１１０）。
【００６５】
従って、ＣＰＵ５１は、前記ユーザーによる画像処理装置１０の利用を阻害することなく、遠隔制御コマンドＣＭ０によって指示される制御より速やかに実行することができる。
【００６６】
［第２実施形態：第２遠隔制御管理処理］
次に、図３に示されるフローチャートを参照しつつ、第２実施形態に係る画像処理装置１０における第２遠隔制御管理処理の手順の一例について説明する。以下の説明において、Ｓ２０１，Ｓ２０２，…は、前記第２遠隔制御管理処理において実行される工程の識別符号を表す。
【００６７】
ＣＰＵ５１は、通信装置６を通じて管理装置８から遠隔制御コマンドＣＭ０を受信した場合に、前記第２遠隔制御管理処理を開始する。
【００６８】
＜工程Ｓ２０１，Ｓ２０２＞
前記第２遠隔制御管理処理において、まず、ＣＰＵ５１は、図２の工程Ｓ１０１，Ｓ１０２と同様に、前記ジョブ処理装置が前記ジョブ実行状態であるか否かを判定する処理（Ｓ２０１）と、人感センサー７が前記人検知状態であるか否かを判定する処理（Ｓ２０２）とを実行する。これにより、画像処理装置１０が前記特定状態であるか否かが判定される。
【００６９】
ＣＰＵ５１は、人感センサー７が前記人検知状態であると判定した場合、処理を工程Ｓ２０３へ移行させる。また、ＣＰＵ５１は、前記ジョブ処理装置が前記ジョブ実行状態であると判定した場合、処理を工程Ｓ２０６へ移行させる。一方、ＣＰＵ５１は、画像処理装置１０が前記特定状態ではないと判定した場合、処理を工程Ｓ２０５へ移行させる。
【００７０】
＜工程Ｓ２０３＞
工程Ｓ２０２において人感センサー７が前記人検知状態であると判定された場合、表示装置３ｂが、ＣＰＵ５１の指令に従って、遠隔制御の可否を問う可否通知を出力する。
【００７１】
即ち、表示装置３ｂは、人感センサー７により人が検知されているときに遠隔制御コマンドＣＭ０が通信装置６によって受信された場合に、前記可否通知を出力する。なお、表示装置３ｂは、通知装置の一例である。
【００７２】
＜工程Ｓ２０４＞
さらに、ＣＰＵ５１は、操作器３ａが前記可否通知に対する許可操作または不可操作を受け付けたか否かを判定する。なお、操作器３ａは、操作入力装置の一例である。
【００７３】
前記許可操作は、前記ユーザーが遠隔制御コマンドＣＭ０に従った制御の実行を優先することを許可する意思を表す操作である。一方、前記不可操作は、前記ユーザーが遠隔制御コマンドＣＭ０に従った制御よりも自らによる画像処理装置１０の利用を優先したい意思を表す操作である。
【００７４】
ＣＰＵ５１は、前記許可操作が操作器３ａによって受け付けられたと判定した場合、処理を工程Ｓ２０５へ移行させる。一方、ＣＰＵ５１は、前記不可操作が操作器３ａによって受け付けられたと判定した場合、処理を工程Ｓ２０６へ移行させる。
【００７５】
＜工程Ｓ２０５＞
工程Ｓ２０５において、ＣＰＵ５１は、前記特定状態の終了を待たずに、遠隔制御コマンドＣＭ０に従った全ての制御を実行し、前記第２遠隔制御管理処理を終了させる。
【００７６】
＜工程Ｓ２０６＞
工程Ｓ２０５において、ＣＰＵ５１は、遠隔制御コマンドＣＭ０によって指示される全ての制御を、実行せずに一次保留する。その後、ＣＰＵ５１は、処理を工程Ｓ２０７，Ｓ２０８へ移行させる。
【００７７】
＜工程Ｓ２０７，Ｓ２０８＞
工程Ｓ２０６に続いて、ＣＰＵ５１は、工程Ｓ２０１，Ｓ２０２と同様に、画像処理装置１０が前記特定状態であるか否かを判定する。
【００７８】
ＣＰＵ５１は、画像処理装置１０が前記特定状態ではなくなったと判定するまで、画像処理装置１０が前記特定状態であるか否かの判定を繰り返す。そして、ＣＰＵ５１は、画像処理装置１０が前記特定状態ではなくなったと判定すると、処理を工程Ｓ２０９へ移行させる。
【００７９】
＜工程Ｓ２０９＞
工程Ｓ２０９において、ＣＰＵ５１は、工程Ｓ２０６において保留した制御を実行する。その後、ＣＰＵ５１は、前記第２遠隔制御管理処理を終了させる。即ち、ＣＰＵ５１は、操作器３ａにより前記可否通知に対する前記不可操作が受け付けられた場合に、前記特定状態が終了した後に遠隔制御コマンドＣＭ０に従った制御を実行する（Ｓ２０９）。
【００８０】
本実施形態が採用される場合も、画像処理装置１０は、前記ユーザーによる自装置の利用を阻害することなく管理装置８からの遠隔制御を受けることができる。
【００８１】
また、本実施形態においては、前記ユーザーが許容すれば、遠隔制御コマンドＣＭ０に従った制御が速やかに実行される（Ｓ２０５）。
【００８２】
［第３実施形態：第３遠隔制御管理処理］
次に、図４に示されるフローチャートを参照しつつ、第３実施形態に係る画像処理装置１０における第３遠隔制御管理処理の手順の一例について説明する。以下の説明において、Ｓ３０１，Ｓ３０２，…は、前記第３遠隔制御管理処理において実行される工程の識別符号を表す。
【００８３】
ＣＰＵ５１は、通信装置６を通じて管理装置８から遠隔制御コマンドＣＭ０を受信した場合に、前記第３遠隔制御管理処理を開始する。
【００８４】
＜工程Ｓ３０１，Ｓ３０２＞
前記第３遠隔制御管理処理において、まず、ＣＰＵ５１は、図２の工程Ｓ１０１，Ｓ１０２と同様に、前記ジョブ処理装置が前記ジョブ実行状態であるか否かを判定する処理（Ｓ２０１）と、人感センサー７が前記人検知状態であるか否かを判定する処理（Ｓ２０２）とを実行する。これにより、画像処理装置１０が前記特定状態であるか否かが判定される。
【００８５】
ＣＰＵ５１は、画像処理装置１０が前記特定状態であると判定した場合、処理を工程Ｓ３０４へ移行させる。一方、ＣＰＵ５１は、画像処理装置１０が前記特定状態ではないと判定した場合、処理を工程Ｓ３０３へ移行させる。
【００８６】
＜工程Ｓ３０３＞
工程Ｓ３０３において、ＣＰＵ５１は、遠隔制御コマンドＣＭ０に従った全ての制御を実行し、前記第３遠隔制御管理処理を終了させる。
【００８７】
＜工程Ｓ３０４＞
工程Ｓ３０４において、ＣＰＵ５１は、遠隔制御コマンドＣＭ０によって指示される全ての制御を、実行せずに一次保留する。
【００８８】
＜工程Ｓ３０５，Ｓ３０６＞
工程Ｓ３０４に続いて、ＣＰＵ５１は、工程Ｓ３０１，Ｓ３０２と同様に、画像処理装置１０が前記特定状態であるか否かを判定する。
【００８９】
ＣＰＵ５１は、画像処理装置１０が前記特定状態ではなくなったと判定するまで、画像処理装置１０が前記特定状態であるか否かの判定を繰り返す。そして、ＣＰＵ５１は、画像処理装置１０が前記特定状態ではなくなったと判定すると、処理を工程Ｓ３０７へ移行させる。
【００９０】
＜工程Ｓ３０７＞
工程Ｓ３０７において、ＣＰＵ５１は、工程Ｓ３０４において保留した制御を実行する。その後、ＣＰＵ５１は、前記第３遠隔制御管理処理を終了させる。
【００９１】
本実施形態において、ＣＰＵ５１は、遠隔制御コマンドＣＭ０を受信したときに画像処理装置１０が前記特定状態である場合、遠隔制御コマンドＣＭ０によって指示される全ての制御を保留する。
【００９２】
本実施形態が採用される場合も、画像処理装置１０は、前記ユーザーによる自装置の利用を阻害することなく管理装置８からの遠隔制御を受けることができる。
【００９３】
[応用例]
第１実施形態において、図２の工程Ｓ１０８，Ｓ１０９の処理が実行される前に、表示装置３ｂが、ＣＰＵ５１の指令に従って、前記可否通知を出力することが考えられる。この場合、ＣＰＵ５１は、操作器３ａが前記可否通知に対する前記許可操作または前記不可操作を受け付けたか否かを判定する。
【００９４】
さらに、ＣＰＵ５１は、前記不可操作が操作器３ａによって受け付けられたと判定した場合に、工程Ｓ１０８，Ｓ１０９をスキップして工程Ｓ１１０の処理を実行し、そうでない場合、処理を工程Ｓ１０８，Ｓ１０９へ移行させる。
【００９５】
本応用例においては、前記ユーザーが許容すれば、遠隔制御コマンドＣＭ０に従った前記禁止制御が速やかに実行される。
【符号の説明】
【００９６】
１        ：画像読取装置
１ａ      ：光源
１ｂ      ：走査機構
１ｃ      ：イメージセンサー
２        ：画像形成装置
２ａ      ：シート搬送機構
２ｂ      ：感光体
２ｃ      ：帯電装置
２ｄ      ：レーザースキャニングユニット
２ｅ      ：現像装置
２ｆ      ：転写装置
２ｇ      ：定着装置
３        ：ユーザーインターフェイスユニット
３ａ      ：操作器
３ｂ      ：表示装置
４        ：二次記憶装置
５        ：制御装置
６        ：通信装置
７        ：人感センサー
８        ：管理装置
１０      ：画像処理装置
５１      ：ＣＰＵ
５２      ：ＲＡＭ
５３      ：画像データ処理装置
８０      ：ネットワーク
９１      ：原稿
９２      ：シート
ＣＭ０    ：遠隔制御コマンド
【図１】
2019012917.tif 000003
【図２】
2019012917.tif 000004
【図３】
2019012917.tif 000005
【図４】
2019012917.tif 000006